(57)【要約】      （修正有）【課題】本発明は、２つのフィルタの間につまった塵埃が確認しずらく、メンテナンスしずらい問題点を解決することを目的とする。【解決手段】本発明は、集塵ケースに回動自在に支持され、かつ集塵ケースの塵埃排出開口を開閉する第１集塵フィルタ１０１と、塵埃排出開口を開閉するように集塵ケース１０５に回動自在に支持され、かつ塵埃排出開口を閉じるような状態にセットしたときには第１集塵フィルタを集塵ケースに押し付けるように第１集塵フィルタの外側に合わさる第２集塵フィルタ１０２と、集塵ケースに設けられ、第２集塵フィルタを開閉自在に保持する保持手段とを有する電気掃除機において、保持手段は、第２集塵フィルタと係止、離脱する第１保持部と、第２集塵フィルタを離脱させる操作により第１集塵フィルタを係止し、操作が戻されると第１集塵フィルタの係止が解かれる第２保持部とを有するところにある。【選択図】図１
2007044122.tif 000002
【特許請求の範囲】
【請求項１】
電動送風機を内蔵する掃除機本体と、前記掃除機本体に設けた集塵部と、前記集塵部に着脱自在に設ける集塵ケースと、前記集塵ケースに回動自在に支持され、かつ集塵ケースの塵埃排出開口を開閉する第１集塵フィルタと、前記塵埃排出開口を開閉するように前記集塵ケースに回動自在に支持され、かつ前記塵埃排出開口を閉じるような状態にセットしたときには前記第１集塵フィルタを前記集塵ケースに押し付けるように第１集塵フィルタの外側に合わさる第２集塵フィルタと、前記集塵ケースに設けられ、前記第２集塵フィルタを開閉自在に保持する保持手段とを有する電気掃除機において、
前記保持手段は、前記第２集塵フィルタと係止、離脱する第１保持部と、前記第２集塵フィルタを離脱させる操作により前記第１集塵フィルタを係止し、前記操作が戻されると第１集塵フィルタの係止が解かれる第２保持部とを有することを特徴とする電気掃除機。
【請求項２】
電動送風機を内蔵する掃除機本体と、前記掃除機本体に設けた集塵部と、前記集塵部に着脱自在に設ける集塵ケースと、前記集塵ケースに回動自在に支持され、かつ集塵ケースに設けた横向きの塵埃排出開口を開閉する第１集塵フィルタと、前記塵埃排出開口を開閉するように前記集塵ケースに回動自在に支持され、かつ前記塵埃排出開口を閉じるような状態にセットしたときには前記第１集塵フィルタを前記集塵ケースに押し付けるように第１集塵フィルタの外側に合わさる第２集塵フィルタと、前記集塵ケースに設けられ、前記第２集塵フィルタを開閉自在に保持する保持手段とを有する電気掃除機において、
前記第１集塵フィルタと前記第２集塵フィルタは、下部側が前記集塵ケースの下部側に回動自在に支持され、前記保持手段は、前記集塵ケースの上部側に設けられ、
前記保持手段は、操作部材と、操作部材の操作により移動する係止部材と、前記係止部材を操作移動する前の位置に復帰させる復帰バネと、前記係止部材に設けられ、前記操作移動により前記第２集塵フィルタの係合部から係止が解かれる第１保持部としての係止爪と、前記係止部材に設けられ、前記操作移動により前記第１集塵フィルタの係止溝に係止し、前記復帰バネにより前記係止部材が前記操作移動する前の位置に戻ると前記係止溝との係止が解かれる第２保持部としての係止ボスとを有することを特徴とする電気掃除機。
【請求項３】
請求項１または２記載の電気掃除機において、
前記第１集塵フィルタ、及び前記第２集塵フィルタは、前記集塵ケースに設けた共通の支持軸に回動自在に支持されたことを特徴とする電気掃除機。
【請求項４】
請求項１または２記載の電気掃除機において、
前記第１集塵フィルタの最大開放回転角度は、前記第２集塵フィルタの最大開放回転角度よりも小さいことを特徴とする電気掃除機。
【請求項５】
請求項１または２記載の電気掃除機において、
前記集塵ケースは、サイクロン式集塵部を有することを特徴とする電気掃除機。
【発明の詳細な説明】
【技術分野】
【０００１】
本発明は、掃除機本体に着脱自在に備わる集塵ケースの塵埃排出開口を開閉する第１集塵フィルタ、前記第２集塵フィルタを有する電気掃除機に関するものである。
【背景技術】
【０００２】
この種の電気掃除機は、例えば、特開２００５−２１４６９号公報（特許文献１）に記載されている。
【０００３】
特許文献１に示される電気掃除機について添付図１０（ａ），図１０（ｂ）を引用して概略説明する。
【０００４】
このサイクロン分離式の集塵部を備えた電気掃除機は、集塵ケース１０５に溜まった塵埃を塵埃排出開口から廃棄する。塵埃排出開口には、開閉自在に設けられた第１集塵フィルタ１０１及び第２集塵フィルタ１０２を備えている。
【０００５】
ここで、第２集塵フィルタ１０２は、集塵ケース１０５に設けられた係止部材１０３により係止されており、第１集塵フィルタ１０１は第２集塵フィルタ１０２と集塵ケース１０５に挟まれることで保持されている。
【０００６】
上部の操作部材１０４を押すことにより、係止部材１０３が下部へ移動し、第２集塵フィルタ１０２の係止が外れ、下部の支持軸１０６を中心に第１集塵フィルタ１０１、第２集塵フィルタ１０２が同時に回転する。これにより集塵ケース１０５が塵埃排出開口が開口し、塵埃を集塵ケース１０５から廃棄することが可能となる。
【０００７】
【特許文献１】特開２００５−２１４６９号公報
【発明の開示】
【発明が解決しようとする課題】
【０００８】
上記の背景技術において、第１のフィルタ、第２のフィルタは同様の軸を中心に同時に回転しはじめるので、重ね合わされながら動作する可能性が高い。そのためフィルタ間の隙間が小さい。
【０００９】
従って、使用者が第１のフィルタ及び、第２のフィルタの間に溜まっている塵埃を確認することは困難であり、メンテナンス性に欠け、塵埃廃棄をしないことが予想される。
【００１０】
また、第１集塵フィルタ、第２集塵フィルタの隙間が小さいことから、両フィルタ間に挟まった塵埃が取りずらい。
【００１１】
本発明の目的は、上記問題を解決し、使用者にフィルタ間の塵埃を容易に見せることでメンテナンス性を向上させ、また、フィルタ間に挟まった塵埃を取れやすくすることにある。
【課題を解決するための手段】
【００１２】
上記の目的を達成する為に、本発明の特徴とするところは、集塵ケースに回動自在に支持され、かつ集塵ケースの塵埃排出開口を開閉する第１集塵フィルタと、塵埃排出開口を開閉するように集塵ケースに回動自在に支持され、かつ塵埃排出開口を閉じるような状態にセットしたときには第１集塵フィルタを集塵ケースに押し付けるように第１集塵フィルタの外側に合わさる第２集塵フィルタと、集塵ケースに設けられ、第２集塵フィルタを開閉自在に保持する保持手段とを有する電気掃除機において、保持手段は、第２集塵フィルタと係止、離脱する第１保持部と、第２集塵フィルタを離脱させる操作により第１集塵フィルタを係止し、操作が戻されると第１集塵フィルタの係止が解かれる第２保持部とを有するところにある。
【発明の効果】
【００１３】
本発明によれば、使用者が集塵ケース内の塵埃を廃棄する際には、第１集塵フィルタ及び第２集塵フィルタ間に溜まる塵埃を容易に観察できるため、メンテナンス性が良く、塵埃廃棄が怠わらずに行なわれる。
【発明を実施するための最良の形態】
【００１４】
以下、本発明の実施の形態の一例を添付の図面に基いて説明する。
【００１５】
図２は、本発明の実施の形態の一例に係わる電気掃除機の全体外観図である。
【００１６】
吸口３０１から吸引された塵埃は延長管３０２、ホース３０３を通り掃除機本体２０１に集塵される。
【００１７】
図３は本発明の実施の形態の一例に係わる本体外観図である。掃除機本体２０１の内部には集塵部２０２を設けており、集塵部２０２には吸引した塵埃を集塵する集塵ケース１０５が着脱自在に装着されている。
【００１８】
図８（ａ），図８（ｂ），図８（ｃ）は本発明の実施形態の一例にかかわる集塵ケースの外観図である。
【００１９】
集塵ケース１０５の空気導入口５０２より吸い込まれた空気及び塵埃は、集塵ケース１０５内で塵埃と空気に遠心分離され、更に、最終的には、第１集塵フィルタ１０１及び、第２集塵フィルタ１０２によって、塵埃と空気に分離され、集塵ケース１０５から空気は排出される。
【００２０】
又、図８（ｂ），図８（ｃ）に示すように、集塵ケース１０５の下部には、第１集塵フィルタ１０１に対応するものとして配置された、最大開放角度を決定するフィルタ側リブ（後述する）が当接するケース側リブ４０４を設けている。
【００２１】
又集塵ケース１０５は、軸受ボス８０１を有する。この軸受ボス８０１に支持軸１０６が支持される。支持軸１０６に第１集塵フィルタ１０１と第２集塵フィルタ１０２は、回動自在に支持される。
【００２２】
図６（ａ），図６（ｂ）は本発明の実施形態の一例にかかわる係止部材１０３の外観図である。
【００２３】
係止部材１０３に２本配置された係止ボス５０１は、第１集塵フィルタの係止溝（後述する）と嵌る位置にある。
【００２４】
図７（ａ），図７（ｂ），図７（ｃ）は本発明の実施形態の一例にかかわる第１集塵フィルタ１０１の外観図である。
【００２５】
第１集塵フィルタ１０１の上部には、係止部材１０３の係止ボス５０１が嵌る係止溝４０３が設けられている。又、第１集塵フィルタ１０１の下部には、集塵ケース１０５の下部に設けたケース側リブ４０４と当接することで、最大開放回転角を決定するフィルタ側リブ５０３が設けられている。
【００２６】
図４（ａ），図４（ｂ）は本発明の実施形態の一例にかかわる集塵ケース１０５の中央断面図である。
【００２７】
集塵ケース１０５には、本体２０１との着脱を容易に行えるようにするハンドル４０１、係止部材１０３、係止部材１０３を操作する操作部材１０４、操作部材１０４が上部に飛び出さないよう、抑えているハンドルカバー４０２を有する。
【００２８】
この集塵ケース１０５に設けられた係止部材１０３、係止部材１０３等は、保持手段を構成するものである。この保持手段により、第１集塵フィルタ１０１、第２集塵フィルタ１０２は、集塵ケース１０５の塵埃排出開口を閉成する状態に保持される。
【００２９】
係止部材１０３は、係止爪１０３ａを有する。この係止爪１０３ａは、第２集塵フィルタ１０２の上部に設けた係合部１０２ａに係止して第２集塵フィルタ１０２を閉成状態に保持する。
【００３０】
復帰バネ４０４は、集塵ケース１０５の上部側に設けたバネ受け上向突起７０１と、係止部材１０３に設けバネ受け下向突起７０２の間に介在する。
【００３１】
係止部材１０３は、復帰バネ４０４で上方に押圧付勢され、それにより、係止爪１０３ａは係合部１０２ａに係止している。操作部材１０４を下方に押す操作により、係止部材１０３は、復帰バネ４０４に抗して下方に操作移動し、係止爪１０３ａが係合部１０２ａから離れるので、係合部１０２ａの係止が解かれる。
【００３２】
係止部材１０３は、前述したように下端に係止ボス５０１を有する。この係止ボス５０１は、操作部材１０４の押圧操作により係止部材１０３が下方に操作移動された際に、係止溝４０３に嵌る。
【００３３】
つまり、係止爪１０３ａが係合部１０２ａに係止しているときには、係止ボス５０１は
係止溝４０３から離脱している。逆に係止爪１０３ａが係合部１０２ａから離脱して係止が解かれると、係止ボス５０１が係止溝４０３に嵌って係止が行なわれる。
【００３４】
保持手段は、操作部材１０４と、操作部材１０４の操作により移動する係止部材１０３と、係止部材１０４を操作移動する前の位置に復帰させる復帰バネ４０４と、係止部材１０３に設けられ、操作移動により第２集塵フィルタ１０２の係合部１０２ａから係止が解かれる第１保持部としての係止爪１０３ａと、係止部材１０４に設けられ、操作移動により第１集塵フィルタ１０１の係止溝４０３に係止し、復帰バネ４０４により係止部材１０４が操作移動する前の位置に戻ると係止溝４０３との係止が解かれる第２保持部としての係止ボス５０１とを有する。
【００３５】
図５（ａ），図５（ｂ），図５（ｃ）は本発明の実施形態の一例にかかわる集塵ケース断面図であり、内部の動きを説明するために、ハンドル４０１及びハンドルカバー４０２を省略したものである。
【００３６】
まず、操作部材１０４を押すと、その力により係止部材１０３が下方向へ押される。それにより第２集塵フィルタ１０２の係止が解除され、第２集塵フィルタ１０２は開放するように動き始める。
【００３７】
それと同時に、係止部材１０３が下方へ動くので、係止部材１０３より下方に伸びた係止ボス５０１が、第１集塵フィルタ１０１の係止溝４０３へと入り、係止部材１０３が第１集塵フィルタ１０１を係止する。（図５（ｃ）参照）
次に、操作部材１０４の押圧をやめると、復帰バネ４０４の力により、係止部材１０３は押し戻されて上昇し、第１集塵フィルタ１０１の係止が解除され、第１集塵フィルタ１０１は開放するように動き始める。（図５（ｂ）参照）
図１は本発明の実施の形態の一例にかかわる集塵ケースの外観図であり、操作部材１０４を押して第２集塵フィルタ１０２を開いたところを示した図である。
【００３８】
操作部材１０４を押すことで、第２集塵フィルタ１０２が開くように動きはじめる。しかし、このときは、係止ボス５０１が係止溝４０３に係止して拘束されているので、第１集塵フィルタ１０１は開かれない。
【００３９】
次に操作部材１０４の押圧を開放すると、係止ボス５０１が係止溝４０３から離脱して係止がとかれるため、第１集塵フィルタ１０１も開放するように動作をはじめる。
【００４０】
図９（ａ），図９（ｂ），図９（ｃ）は本発明の実施形態の一例にかかわる集塵ケースの外観図であり、第１集塵フィルタ１０１、及び、第２集塵フィルタ１０２が最も開いている状態を示している。
【００４１】
ここで、第２集塵フィルタ１０２の最大開放動作角度はθ２は、第２集塵フィルタ１０１の一部が集塵ケース１０５と当接する位置にて決定する。又、第１集塵フィルタ１０１の最大開放動作角度θ１は、集塵ケース１０５の下面に配置されたケース側リブ４０４と、第１集塵フィルタ１０１に配置された最大開放回転角度決定するフィルタ側リブ５０３が当接する個所となり、θ２＞θ１となるようにしてある。
【００４２】
このように、第１集塵フィルタ１０１がある程度開いた後、第２集塵フィルタ１０２が遅れて開放動作を始めるので、第１、第２集塵フィルタが合わさったまま開放されてしまうことがなく、第１、第２集塵フィルタは間が開いた状態に置かれる。
【００４３】
そのため、第１集塵フィルタと第２集塵フィルタの間へ詰まっている塵埃を使用者が容易に確認することが可能となり、メンテナンス性が向上した。また第１集塵フィルタと第２集塵フィルタに塵埃が挟まることがない。
【００４４】
また、第１集塵フィルタ、及び第２集塵フィルタは、集塵ケースに設けた共通の支持軸に回動自在に支持されるので、小スペース化が可能となる。
【００４５】
さらに、第１集塵フィルタの最大開放回転範囲を、第２集塵フィルタよりも少ないものとした。これにより、両集塵フィルタが最大限に開いても隙間ができ、メンテナンス製が向上し、両集塵フィルタ間の除塵が向上する。
【００４６】
また、集塵ケースにサイクロン式集塵部を設けたので、塵埃の集塵容量が大幅に増加する。
【図面の簡単な説明】
【００４７】
【図１】本発明の実施形態の一例にかかわる集塵ケースの外観図であり、操作部材を押した状態の集塵ケースの断面図である。
【図２】本発明の実施形態の一例に係わる電気掃除機の全体外観図である。
【図３】本発明の実施形態の一例に係わる電気掃除機の本体外観図である。
【図４（ａ）】本発明の実施形態の一例にかかわる集塵ケース中央断面図である。
【図４（ｂ）】図４（ａ）のＡ部拡大図である。
【図５（ａ）】本発明の実施形態の一例にかかわる集塵ケース断面図である。
【図５（ｂ）】操作部材が第２集塵フィルタを係止している状態の図５（ａ）におけるＢ拡大図である。
【図５（ｃ）】操作部材が第２集塵フィルタの係止を解除し、第１集塵フィルタを係止している状態の図５（ａ）におけるＢ拡大図である。
【図６（ａ）】本発明の実施形態の一例にかかわる係止部材の外観図である。
【図６（ｂ）】本発明の実施形態の一例にかかわる係止部材の外観図（図６（ａ）反対側面）である。
【図７（ａ）】本発明の実施形態の一例にかかわる第１集塵フィルタの外観図である。
【図７（ｂ）】図７（ａ）の側面図である。
【図７（ｃ）】図７（ｂ）のＣ部拡大図である。
【図８（ａ）】本発明の実施形態の一例に係わる集塵ケースの外観斜視図である。
【図８（ｂ）】図８（ａ）をＤ方向から見た図である。
【図８（ｃ）】図８（ｂ）におけるＥ−Ｅ断面図である。
【図９（ａ）】本発明の実施形態の一例にかかわる集塵ケースの外観図である。
【図９（ｂ）】図９（ａ）におけるＥ−Ｅ断面図である。
【図９（ｃ）】図９（ｂ）におけるＦ拡大図である。
【図１０（ａ）】従来の集塵ケースの断面図である。
【図１０（ｂ）】従来の集塵ケースから、第１集塵フィルタ及び第２集塵フィルタが開かれた図である。
【符号の説明】
【００４８】
１０１…第１集塵フィルタ、１０２…第２集塵フィルタ、１０２ａ…係合部、１０３…係止部材、１０３ａ…係止爪（第１保持部）、１０４…操作部材、１０５…集塵ケース、１０６…支持軸、２０１…掃除機本体、２０２…集塵部、３０１…吸口、３０２…延長管、３０３…ホース、４０１…ハンドル、４０２…ハンドルカバー、４０３…係止溝、４０４…ケースリブ、５０１…係止ボス（第２保持部）、５０２…集塵ケースの空気導入口、５０３…フィルタリブ。
【図１】
2007044122.tif 000003
【図２】
2007044122.tif 000004
【図３】
2007044122.tif 000005
【図４（ａ）】
2007044122.tif 000006
【図４（ｂ）】
2007044122.tif 000007
【図５（ａ）】
2007044122.tif 000008
【図５（ｂ）】
2007044122.tif 000009
【図５（ｃ）】
2007044122.tif 000010
【図６（ａ）】
2007044122.tif 000011
【図６（ｂ）】
2007044122.tif 000012
【図７（ａ）】
2007044122.tif 000013
【図７（ｂ）】
2007044122.tif 000014
【図７（ｃ）】
2007044122.tif 000015
【図８（ａ）】
2007044122.tif 000016
【図８（ｂ）】
2007044122.tif 000017
【図８（ｃ）】
2007044122.tif 000018
【図９（ａ）】
2007044122.tif 000019
【図９（ｂ）】
2007044122.tif 000020
【図９（ｃ）】
2007044122.tif 000021
【図１０（ａ）】
2007044122.tif 000022
【図１０（ｂ）】
2007044122.tif 000023